(57)【特許請求の範囲】
【請求項１】
有機物堆肥を使用した土壌に短寸苗木を植付し、その主幹から整枝される多数本の枝を複数本の枝に整枝し、この複数本の枝の半分を新梢とし残りの半分を側枝とに分離し、半分の側枝に毬果を結実させる栗の整枝方法であって、該整枝方法は、毬果を結実した枝は冬季剪定時に前記主幹の近傍の一芽を残して切断し前記一芽から当年新梢枝を伸ばし前記新梢と前記側枝とを１年毎に半分の枝ごとに前記方法を繰返し行うことを特徴とする側枝更新剪定を行う栗の整枝方法。
【請求項２】
前記複数本が８本の枝からなり、前記枝は４本が新梢であり残りの４本が側枝であることを特徴とする請求項１に記載の側枝更新剪定を行う栗の整枝方法。
【請求項３】
前記土壌に植付された前記主幹が当初の高さが１ｍのものからなり、最大高さが１．５ｍのものに切断形成されることを特徴とする請求項１に記載の側枝更新剪定を行う栗の整枝方法。
【発明の詳細な説明】
【技術分野】
【０００１】
本発明は、栗の整枝方法に係り、特に樹勢旺盛で果皮が栗毛色からなり大果で高品質で炭疽病の発生がほとんどなく管理が容易にできる側枝更新剪定を行う栗の整枝方法に関する。
【背景技術】
【０００２】
栗の整枝方法としては従来より一定の方法によって行われており、その整枝方法に関する公知技術は本願の出願人の調査では見当らない。但し栗の整枝方法としては「特許文献１」が挙げられるが、この技術は後に説明する本願の栗の整枝方法とは相違するものである。
【先行技術文献】
【特許文献】
【０００３】
【特許文献１】特開２００９−１８３１８７（図１）
【発明の概要】
【発明が解決しようとする課題】
【０００４】
従来における栗の整枝方法としては栗樹を土壌に栽植し、変則主幹形成等の剪定を基本に栗樹の生長にまかせて自然に整枝させる方法がとられている。この従来の整枝方法では栗樹は巨木となるため栽植後数年は剪定して巨木にならないようにする剪定作業が行われている。しかしその後は巨木となっているため放置されて自然に栗を生産する方法が一般的に行われている。この従来の方法では比較的小玉の栗しか生産されず、その大きさもまちまちである。特に大きな問題としては炭疽病にかかるものが大量に発生する問題点がある。炭疽病は古い枝に寄生するものであり、雨水等により毬果内に浸入する。また、前記のように巨木になるため広い栽培面積が必要になり、生産性において劣ると共に収穫作業においても能率的でない問題点がある。
栗の整枝方法として望ましい方法としては樹勢を常に旺盛に保ち、新梢の発生頻度がよく葉も大きく養分の吸収がよく炭疽病の発生がなく生産性の向上が図られ、かつ収穫作業も容易にでき、土壌の面積も小さくて済む方法が期待されている。
【０００５】
本発明は、以上の事情に鑑みて発明されたものであり、樹勢を常に旺盛に維持でき、葉の枚数や面積を所望のものに確保でき、養水の吸収がよく、一定の大きさの毬果が多量生産ができ外観美もあり、炭疽病の発生が殆どなく、生産性がよく、日常の管理も容易にできる側枝更新剪定を行う栗の整枝方法を提供することを目的とする。
【課題を解決するための手段】
【０００６】
本発明は、以上の目的を達成するために、請求項１の発明は、有機物堆肥を使用した土壌に短寸苗木を植付し、その主幹から整枝される多数本の枝を複数本の枝に整枝し、この複数本の枝の半分を新梢とし残りの半分を側枝とに分離し、半分の側枝に毬果を結実させる栗の整枝方法であって、該整枝方法は、毬果を結実した枝は冬季剪定時に前記主幹の近傍の一芽を残して切断し前記一芽から当年新梢枝を伸ばし前記新梢と前記側枝とを１年毎に半分の枝ごとに前記方法を繰返し行うことを特徴とする。
【０００７】
また、請求項２の発明は、前記複数本が８本の枝からなり、前記枝は４本が新梢であり残りの４本が側枝であることを特徴とする。
【０００８】
また、請求項３の発明は、前記土壌に植付された前記主幹が当初の高さが１ｍのものからなり、最大高さが１．５ｍのものに切断形成されることを特徴とする。
【発明の効果】
【０００９】
本発明の請求項１乃至３の側枝更新剪定を行う栗の整枝方法によれば、短長の主幹から複数本の枝を残し、この複数本の枝の半分のものを側枝として毬果を形成させ、残りの半分は主幹の近傍で切断された新梢とし、半分づつ交互に毬果させる方法により常に新梢や側枝が樹勢を維持し、結果として保存でき水分の吸収もよく大きな葉ができ、十分な養分を与えることができ、炭疽病もなく、美しい品質で大寸の栗を整枝させることができる。なお、主幹の高さが低いため管理が容易にでき、常に新鮮さを保持することができる。なお、土壌としても有機物堆肥を使用したものからなり、主幹や新梢や側枝の生長を効率的に保持することができる。
【図面の簡単な説明】
【００１０】
【図１】本発明の栗の整枝方法を示すフローチャート。
【図２】主幹の土壌への植付を示す模式図。
【図３】生長する主幹の先端を一定の長さにすべく切断する様子を示す模式図（ａ）及び最後の主幹の形状を示す模式図（ｂ）。
【図４】主幹に複数本（図では８本）の枝を設けた状態を示す模式図。
【図５】複数本の枝の半分を側枝とし毬果を設けると共に残りの半分を主幹の近傍で一芽を残した状態に切断されて新梢となった状態を示す模式図。
【図６】側枝であった半分の枝を主幹の近傍で一芽を残した状態で切断すると共に残りの半分の新梢を側枝として生長させて毬果を設けるようにしたことを示す模式図。
【発明を実施するための形態】
【００１１】
以下、本発明の側枝更新剪定を行う栗の整枝方法の実施の形態を図面を参照して詳述する。
【実施例１】
【００１２】
図１及び図２乃至図６を用いて本発明の側枝更新剪定を行う栗の整枝方法の実施の形態を説明する。
まず、図１のステップ１００及び図２に示すように一定の長さ（例えば１ｍ）の植設苗本である主幹１を土壌２に植付ける。この土壌は例えば豚の糞のような有機物堆肥を使用したものからなり、その施行は冬季７０％行い春から夏にかけて残りの３０％を行う。
【００１３】
次に、図１のステップ１０１及び図３（ａ），（ｂ）に示すように、年毎に生長して行く主幹１の先端を一定の長さ（例えば１０ｃｍ）だけ残して切断し（図３（ａ））、これを数年（例えば５年）行って主幹１を一定の長さ（例えば１．５ｍ）に保持する。
【００１４】
次に、図１のステップ１０２及び図４に示すように主幹１に複数本（例えば８本）の枝３を残して他を切断除去する。
【００１５】
次に、図１のステップ１０３及び図５に示すように、図４に示した枝３の内の半分の枝は側枝３ａとなり毬果４を設け、他の半分の枝は主幹１の近傍で一芽を残して切断された新梢３ｂとに分けられる。なお、この作業は冬季剪定時に行う。
【００１６】
次に、図１のステップ１０４及び図６に示すように、毬果４を設けた側枝３ａは主幹１の近傍で一芽を残して切断され新梢３ｂとなると共に、新梢３ｂであった枝は生長して側枝３ａとなり毬果４を形成するものとなる。
【００１７】
次に、図１のステップ１０５に示すように以上のステップ１０１から１０４にかけての作業を繰返し行う。
【００１８】
以上の説明のように本発明は主幹に複数本の枝を設け、その半分を新梢３ｂとし残りの半分を側枝３ａとして交互に毬果４を形成させる整枝方法であり、巨木となることはなく、常に新鮮な葉に覆われるため炭疽病になることはなく、養分を十分に吸収した果実は大形（例えば３０ｇ乃至３５ｇ）の毬果４を作ることができる。また、栗の色もクリ毛色のものとなり美観の向上が図られる。
【００１９】
本発明の側枝更新剪定を行う栗の整枝方法は前記のような方法からなるが、本発明はこの説明内容に限定するものではなく、同一技術的範疇のものが適用されることは勿論である。
【産業上の利用可能性】
【００２０】
本発明は栗の整枝方法としてすべての栗に対して適用されるものであり、全国で採用することができるためその利用範囲は極めて広い。また、栗樹は従来のような巨木とならず管理が十分に行われるため生産性の向上を図ることができる。
【符号の説明】
【００２１】
１    主幹
２    土壌
３    枝
３ａ  側枝
３ｂ  新梢
４    毬果
【要約】
【課題】  形状が大型で美観があり、炭疽病にかかることは少なく、管理が十分に行われ、生産性も高い側枝更新剪定を行う栗の整枝方法を提供する。
【解決手段】  有機土壌に植付された主幹を一定の長さに保持すると共に主幹から複数本（例えば８本）の枝を形成せしめ、この半分を側枝として毬果を設けさせると共に残りの半分を新梢とし、前記半分の収穫した側枝は前記主幹の近傍で冬季剪定時に切断し新しい新梢とすると共に半分の前記新梢を生長させて側枝とすることを繰返し行って大形で美しいクリ色の栗を安定生産する。
【選択図】  図１【図１】
0004665220.tif 000002
【図２】
0004665220.tif 000003
【図３】
0004665220.tif 000004
【図４】
0004665220.tif 000005
【図５】
0004665220.tif 000006
【図６】
0004665220.tif 000007